(57)【要約】【課題】湯水供給温度制御装置内における適温度の湯水の流れる流路を、流量抵抗が極力生じ難い構成とすることで、下流側により多くの流量を供給することができ、さらに流路を簡素化して外観形状をコンパクトにすることで、水栓やシャワーホース等通水経路内に介在させても外観性や清掃性を低下する恐れが少ない、安価な湯水供給温度制御装置を提供することを目的とした。【解決手段】バイアスばねの付勢力と湯水温度を感知する感温材の付勢力とのバランスによって可動弁体を可動させて通水路を選択する湯水供給温度制御装置において、バイアスばね、可動弁体、感温材を、各々の作動軸が一軸上になるように配置すると共に、入水路と出水路とをほぼ直線に形成し、かつ、可動弁体は排出口開閉弁と出水口開閉弁とこの両方の開閉弁とを連結するスリット部とからなり、入水路と常に連通されている流路を形成することを特徴とする湯水供給温度制御装置。【選択図】  図３
2004225864.tif 000002
【特許請求の範囲】
【請求項１】
バイアスばねの付勢力と湯水の温度を感知する感温材の付勢力とのバランスによって可動弁体を可動させて通水路を選択する湯水供給温度制御装置において、バイアスばねと可動弁体と感温材とを各々の作動軸が一軸上になるようにハウジング内に配置すると共に、前記作動軸と同軸のハウジングの軸上に入水路と出水路とをほぼ直線に形成し、ハウジングの側面に排出口を有し、かつ、可動弁体は排出口開閉弁と出水口開閉弁とこの両方の開閉弁とを連結するスリット部とからなり、排出口開閉弁は感温材とバイアスばねとの間に配置し入水路と常に連通されている流路を形成すると共に、湯水の温度で感温材の付勢力が変化してバイアスばねとのバランス位置を変えることにより排出口開閉弁はハウジングの軸方向にスライド移動して排出口を開閉し、開の場合には入水路から排出口へ湯水を流し、かつ、出水口開閉弁は排出口開閉弁のスライド移動に伴ってハウジングの軸方向にスライド移動して出水路を開閉し、開の場合には入水路、流路、スリット部を経由して出水口へ湯水を流すことを特徴とする湯水供給温度制御装置。
【請求項２】
排出口開閉弁と出水口開閉弁とを一体に構成すると共に、前記感温材を排出口開閉弁の下流側に配置して、所定温度以上の湯水に感温材が浸水したときに感温材の付勢力が増大し排出口開閉弁を閉とし、さらに出水口開閉弁を開としたことを特徴とする請求項１に記載の湯水供給温度制御装置。
【請求項３】
排出口開閉弁と出水口開閉弁とを一体に構成すると共に、前記感温材を排出口開閉弁の上流側に配置して、所定温度以上の湯水に感温材が浸水したときに感温材の付勢力が増大し排出口開閉弁を開とし、さらに出水口開閉弁を閉としたことを特徴とする請求項１に記載の湯水供給温度制御装置。
【請求項４】
前記出水口開閉弁の上流側の形状を流線形としたことを特徴とする請求項１または２または３に記載の湯水供給温度制御装置。
【請求項５】
前記バイアスばねはその内側に前記排出口開閉弁を包含し、かつ適温度の湯水が流れる時、その湯水に接触しない位置に配置されたことを特徴とする請求項１に記載の湯水供給温度制御装置。
【発明の詳細な説明】
【０００１】
【発明の属する技術分野】
本発明は、浴室やシャワールーム用の水栓などに適用可能な湯水供給温度制御装置に関する。
【０００２】
【従来の技術】
一般に、シャワー設備等の給湯システムにおいて、水栓を開いても最初に供給経路に残留している湯水が流出するため、適温度状態の湯水が供給されるまでにはある程度の時間を要し、その間は冷水を浴びることになる。また、冬場であれば、その残留水がさらに冷たくなり、冷水を浴びる恐れと冷水を浴びる時間が増大して、人身に不快感を与える。
さらに、給湯システムと混合水栓の故障や誤設定等で適温度以上の思いもよらぬ高温の湯水がシャワー等から流れ出てしまう恐れがある。
こういった問題を解決するために、従来技術では、適温度以外の湯水を自動的に排出する湯水供給温度制御装置が開示されている。（例えば、特許文献１及び特許文献２。）
特許文献１と特許文献２は、感温材とバイアスばねの配置位置及び湯水の流路が異なるだけで、基本的な機能は同じである。大きな違いとしては、特許文献２の湯水の流路が大幅に湾曲しているのに対して、特許文献１は湯水の流路の湾曲が抑えられている。
【０００３】
図８に特許文献１記載の代表的な従来の湯水供給温度制御装置の断面図を示す。
この湯水供給温度制御装置においては所定温度以下の湯水（冷水）を選択して湯水供給温度制御装置外に排出する機構に加えて、別の所定温度以上の湯水（熱湯）も選択して湯水供給温度制御装置外に排出する二つの機構が合わせて構成されている。
すなわち所定の温度範囲内（適温度）の湯水のみをこの湯水供給温度制御装置の下流側に通水することを目的とする湯水供給温度制御装置である。この湯水供給温度制御装置の一機能である所定温度以下の湯水（冷水）を選択して湯水供給温度制御装置外に排出し、かつ適温度の湯水を下流側へ通水する構成に関わる部分についてその技術を説明する。
図８において、断面図の上半分に位置する指示番号５２から６１の部品により構成されている部分がこれに該当する。従来の湯水供給温度制御装置５０に入口５１から適温度の湯水が供給された場合には、湯水温度を感知する感温材５４が伸長して、第１可動弁体５５が下方へ移動して開閉口５８が開き適温度の湯水を下流側へ通水すると共に、ばね６０の付勢力により第２可動弁体５９も下方へ押され冷水排出口５７を閉じる。
【０００４】
このとき入口５１から進入した適温度の湯水は、まず前記感温材５４の座板５２に衝突して、この座板５２に設けられた複数の小径の開口５３を通過して分流となり、この感温材５４とばね６０との間の環状の周壁路６１を通過した後、さらにこの感温部材のもう一方の座５６に衝突して開閉口５８を経由し出口７０に至る。
【０００５】
【特許文献１】
特開２００１−３３０１７０号公報
【特許文献２】
特開平０８−１６６０８２号公報
【０００６】
【発明が解決しようとする課題】
近年のシャワー浴の快適さを求める風潮の中、刺激感のあるたっぷりシャワーや頭上シャワー等の多くの流量を必要とするシャワー付き水栓を望む声が市場にある。
このような要望に応えるべく快適なシャワー浴を提供しうるシャワー付き水栓に、所定の温度範囲以外の湯水を排出して所定の温度範囲内（適温度）の湯水のみをシャワー吐水することができるように特許文献１に記載の湯水供給温度制御装置を備えた場合、次のような問題点が生じる。
すなわち図８に示す構成では適温度の湯水は複数の開口５３を通過するときに各開口５３の間の橋渡しの面積部分の抵抗を受け、さらにばね６０の内周壁や座５６に衝突することによっても流量抵抗を受けるため、トータル的にこの湯水供給温度制御装置内を通過する湯水には多大な流量抵抗が生じることになりシャワー側へ多くの流量を供給することが望めない。
【０００７】
また、特許文献２に記載の技術構成の湯水供給温度制御装置も同様に、適温度の湯水が通過する流路は湯水供給温度制御装置を構成するばね、弁体や軸部等に複数箇所接触し、或いは横切る等複雑な流路構成となっており流量抵抗を受けやすい。
【０００８】
すなわち、このような流量抵抗の多い従来の湯水供給温度制御装置をシャワー用水栓に装着した場合においては、多くの流量を必要とするタイプのシャワー部に満足のいく流量を供給し難いという不具合があった。
【０００９】
別の問題として、特許文献１と特許文献２の湯水供給温度制御装置は、流路が複雑化することで、湯水供給温度制御装置のコンパクト化が難しく、外観が大きくなってしまう。そのため、水栓やシャワーホースなどに接続した場合、湯水供給温度制御装置が目立ってしまい外観性を損ねてしまったり、湯水供給温度制御装置が膨出した状態で取り付けられるため、清掃性も悪くなってしまうといった問題がある。
【００１０】
また、複雑な流路構成は当然のごとく部品自体の加工の煩雑化や部品点数の増大をもたらし湯水供給温度制御装置の製造コストを増大させる。
では、従来の湯水供給温度制御装置を半分にし機能を絞って流量を確保する方法も考えられるが、流路が複雑なため流量抵抗が大きく、よりたっぷりシャワーを望む市場には応えられない。
【００１１】
本発明では、従来の湯水供給温度制御装置の流量が少ないという問題点を解決するため、湯水供給温度制御装置内における適温度の湯水の流れる流路を、流量抵抗が極力生じ難い構成とすることで、圧力損失を低減させて、下流側により多くの流量を供給することのできる湯水供給温度制御装置を提供することを目的とした。さらには、流路を簡素化することにより、外観形状をコンパクトにして、水栓やシャワーホースなど通水経路内に介在させても外観性や清掃性を低下するおそれが少なく、安価な湯水供給温度制御装置を提供することを目的とした。
【００１２】
【課題を解決するための手段】
第１の発明は、バイアスばねの付勢力と湯水の温度を感知する感温材の付勢力とのバランスによって可動弁体を可動させて通水路を選択する湯水供給温度制御装置において、バイアスばねと可動弁体と感温材とを各々の作動軸が一軸上になるようにハウジング内に配置すると共に、ハウジングの軸上に入水路と出水路とをほぼ直線に形成し、ハウジングの側面に排出口を有し、かつ、可動弁体は排出口開閉弁と出水口開閉弁とこの両方の開閉弁とを連結するスリット部とからなり、排出口開閉弁は感温材とバイアスばねとの間に配置し入水路と常に連通されている流路を形成すると共に、湯水の温度で感温材の付勢力が変化してバイアスばねとのバランス位置を変えることにより排出口開閉弁はハウジングの軸方向にスライド移動して排出口を開閉し、開の場合には、入水路から排出口へ湯水を流し、かつ、出水口開閉弁は排出口開閉弁のスライド移動に伴ってハウジングの軸方向にスライド移動して出水路を開閉し、開の場合には入水路、流路、スリット部を経由して出水口へ湯水を流すことを特徴とする湯水供給温度制御装置である。
【００１３】
これにより湯水供給温度制御装置内を通過して出水口に供給される適温度の湯水の流れる流路がほぼ一本の柱状に形成されるため、流量抵抗が極力生じ難い構成となり、圧力損失が低減されて、下流側により多くの流量を供給することができる。
【００１４】
第２の発明は、排出口開閉弁と出水口開閉弁とを一体に構成すると共に、前記感温材を排出口開閉弁の下流側に配置して、所定温度以上の湯水に感温材が浸水したときに感温材の付勢力が増大し排出口開閉弁を閉とし、さらに出水口開閉弁を開としたことを特徴とする。
【００１５】
これにより、従来は出水口を開閉する弁と所定温度以下の湯水の排出口を開閉する弁とが別々に動作するため、複数の部材の組立てが複雑かつ製造コストも高いものであったが、本発明の構成によれば、排出口開閉弁と出水口開閉弁とを一体に構成したことにより、この湯水供給温度制御装置がコンパクト化できかつ製造コストが低減できる。そして、冷水を排出し所定温度以上の湯水のみを出水口から流すことができる。排出口開閉弁と出水口開閉弁とを一体に構成しているとは、構成部品数を１つに限定するものではなく、２部品以上を一体的に組立てたものも含む。
【００１６】
第３の発明は、排出口開閉弁と出水口開閉弁とを一体に構成すると共に、前記感温材を排出口開閉弁の上流側に配置して、所定温度以上の湯水に感温材が浸水したときに感温材の付勢力が増大し排出口開閉弁を開とし、さらに出水口開閉弁を閉としたことを特徴とする。
【００１７】
これにより、従来は出水口を開閉する弁と所定温度以上の湯水の排出口を開閉する弁とが別々に動作するため、複数の部材の組立てが複雑かつ製造コストも高いものであったが、本発明の構成によれば、排出口開閉弁と出水口開閉弁とを一体に構成したことにより、この湯水供給温度制御装置がコンパクト化できかつ製造コストが低減できる。そして、熱湯を排出し所定温度以下の湯水のみを出水口から流すことができる。排出口開閉弁と出水口開閉弁とを一体に構成しているとは、構成部品数を１つに限定するものではなく、２部品以上を一体的に組立てたものも含む。
【００１８】
第４の発明は、可動弁体に設けられた出水口開閉弁の湯水進入側の形状を流線形とした。
【００１９】
これにより適温度の湯水が湯水供給温度制御装置内を通過する際に出水口開閉弁に衝突しても、衝突面が流線形であるため流量抵抗は少なく、多くの流量を下流側に供給できる。
【００２０】
第５の発明は、バイアスばねを、その内側に排出口開閉弁を包含し、かつ適温度の湯水が流れる時、その湯水に接触しない位置に配置した。
【００２１】
これにより、バイアスばねの取り付け長さの中に、排出口開閉弁部を納めるため、両者を直列に配置したときよりも湯水供給温度制御装置が短く構成できる。また適温度の湯水の流れる流路がバイアスばねに接触していないためバイアスばねによる流量抵抗は発生せず、より多くの流量を下流側に供給できることとなる。
【００２２】
【発明の実施の形態】
本発明の湯水供給温度制御装置は、バイアスばねの付勢力と湯水の温度を感知する感温材の付勢力とのバランスによって可動弁体を可動させて通水路を選択して、所定の温度範囲内（適温度）の湯水のみを通水可能とする湯水供給温度制御装置である。
所定の温度範囲内（適温度）の湯水について説明を行うと、冷水を排出する場合の適温度の湯水とは所定の温度以上の湯水を指し、熱湯を排出する場合の適温度の湯水とは所定の温度以下の湯水を指す。
そして、この湯水供給温度制御装置は、バイアスばねと、可動弁体と、感温材とを、各々の作動軸が一軸上になるようにハウジング内に配置すると共に、ハウジングの軸上に入水路と出水路とをほぼ直線に形成し、ハウジングの側面に排出口を有している。なお入水路と出水路とをほほ直線とは、当然直線を含む。
さらに、可動弁体は、少なくとも排出口開閉弁と、出水口開閉弁と、この両方の開閉弁とを連結するスリット部と、から構成されている。
また、排出口開閉弁は、感温材とバイアスばねとの間に配置し、排出口開閉弁の中心軸には、入水路と常に連通されている流路を形成すると共に、湯水の温度で感温材の付勢力が変化して、バイアスばねとのバランス位置を変えることにより、排出口開閉弁はハウジングの軸方向にスライド移動して排出口を開閉し、開の場合には、入水路から排出口へ湯水を流すようにしている。
さらに、出水口開閉弁は、排出口開閉弁のスライド移動に伴って、ハウジングの軸方向にスライド移動して出水路を開閉し、開の場合には、入水路、流路、スリット部を経由して出水口へ湯水を流すようにしている。
【００２３】
以下に図面を参照して本発明の湯水供給温度制御装置をより具体的に説明する。
図１、図２及び図３は、感温材を排出口開閉弁の下流側に配置した場合を示す。
図１は本発明の実施の形態を成す湯水供給温度制御装置の構成部品の分解斜視図、図２は図１に示した構成部品による湯水供給温度制御装置の横断面図であり、所定温度以下の湯水を排出している状態を示す。湯水供給温度制御装置から湯水が排出されるのは、入水路１０から所定温度以下の湯水が流入している時と、水栓を使用した後で湯水供給温度制御装置内に残留する湯水が冷やされて所定温度以下になった時である。
図３は、図１に示した構成部品による湯水供給温度制御装置の横断面図であり、所定温度以上の湯水が湯水供給温度制御装置内に流入している状態を示す。
所定温度以下の湯水を排出する湯水供給温度制御装置における適温度とは、所定温度以上の湯水を指す。
【００２４】
湯水供給温度制御装置は、図１に示すように、出口ハウジング１の中に、湯水温度を感知する感温材２、可動弁体３、シールリング４、バイアスばね７を配置して、シールリング８が装着された入口ハウジング９により螺合して塞ぐことで形成するものである。
この構成により、感温材２、可動弁体３及びバイアスばね７の各々の作動軸を一軸上に配置している。
【００２５】
以下に図２及び図３に基づきこの構成をより具体的に説明する。
可動弁体３は、上流側に排出口開閉弁３ｄを設け、下流側に出水口開閉弁３ｃを設け、これらを複数のスリット部３ｂで連結して１つの部材にて一体に構成されている。
この排出口開閉弁３ｄは、中心部に円柱状の流路３ａを形成し、この流路３ａを形成する内周壁３ｆを延設して弁体３ｊを形成している。
そして、この弁体３ｊは、入口ハウジング９の内側に形成された弁座９ａに着座・離座するように構成されている。
さらに、排出口開閉弁３ｄの弁体３ｊ側（上流側）でかつこの弁体３ｊの外側に凹部３ｈを形成し、また入口ハウジング９の弁座９ａの外側に凹部９ｂを形成し、これらの凹部３ｈ、９ｂ間にバイアスばね７を設けている。そして、このバイアスばね７の付勢力は、弁座９ａと弁体３ｊが離座する方向に働いている。
また、排出口開閉弁３ｄの外周壁３ｇにはシールリング４を埋設させて、出口ハウジング１にスライド自在に可動弁体３を嵌め込んだときに、このシールリング４にて出口ハウジング１の内周壁１ｂと排出口開閉弁３ｄの外周壁３ｇとの隙間をシールするようにしている。
【００２６】
また、排出口開閉弁３ｄの下流側には、複数のスリット部３ｂが連設されており、排出口開閉弁３ｄの中心部に形成した流路３ａから流れ込んできた所定温度以上の湯水がスリット部３ｂを経由して、かつ、出水口開閉弁３ｃが開となって、出水口１２に流れる。
【００２７】
次に、出水口１２を開閉する出水口開閉弁３ｃについて説明する。
この出水口開閉弁３ｃは、出口ハウジング１の内側に設けた弁座１ａに着座・離座するように構成されている。
さらに、出口ハウジング１の下流側には段部１ｃが形成されており、この段部１ｃと排出口開閉弁３ｄの下流側に位置する側面３ｉとの間に感温材２を設けている。
そして、所定温度以上の湯水が流れ込んできたときに、感温材２は暖められてその付勢力が大きくなり、また、所定温度以下の湯水が流れ込んだとき感温材２は冷やされてその付勢力が小さくなる。
所定温度以上の湯水が流れ込んできたとき、感温材２の付勢力は、排出口開閉弁３ｄの下流側に位置する側面３ｉを上流側に押しやるように働く。
そのため、弁座１ａから出水口開閉弁３ｃが離座して、出水口は通水状態となるのである。
【００２８】
また、この出水口開閉弁３ｃの上流側に位置する湯水衝突面３ｅの形状は、湯水進入方向に対して流線形状となっている。そのため、圧力損失を低減して、湯水衝突面３ｅに沿って湯水をスムーズに流すことができる。
【００２９】
なお、上述した排出口開閉弁３ｄならびに出水口開閉弁３ｃの開閉は、感温材２とバイアスばね７の付勢力の差によって行われる。
つまり、この可動弁体３の対抗する面には形状記憶合金コイルである感温材２及びバイアスばね７がそれぞれ配置されており、この感温材とばねの両者の発生力がバランスして可動弁体３の位置が決まるのである。
感温材２が、湯水温度を感知して付勢力を大小に変化させる。
この感温材２は主にニッケルとチタンからなる合金線をコイル形状に加工して形状記憶特性を持たせたものであり、感知温度に見合って付勢力を大小に変化させるのである。
【００３０】
なお、浴室やシャワールームなどの水栓に、この湯水供給温度制御装置１８を適用する場合においては、この感温材は約３０〜３５℃の変態点温度を有し、この温度を境に付勢力が大小に変化するものを用いるとよい。
【００３１】
図２は、図１に示した構成部品による湯水供給温度制御装置の横断面図であり、所定温度以下の湯水がこの湯水供給温度制御装置内に流入している状態を示す。
すなわち所定温度以下の温度では、感温材２は付勢力が小さいため、可動弁体３を介して対抗するバイアスばね７の付勢力に負けて収縮し、可動弁体３の排出口開閉弁３ｄは排出口１１を開けると共に、可動弁体３に設けられた出水口開閉弁３ｃが出水口１２を閉じる。この時、入水路１０から所定温度以下の湯水が供給されていたならば、所定温度以下の湯水は図２中の矢印に示すように、排出口１１を経由してノズル１４から排出される。
【００３２】
図３は、図１に示した構成部品による湯水供給温度制御装置の横断面図であり、所定温度以上の湯水がこの湯水供給温度制御装置内に流入している状態を示す。
所定温度以上の湯水が入水路１０から流入すると、湯水は弁体３内の流路３ａ及びスリット部３ｂを通過して感温材２に接触する。
この場合には、感温材２は所定温度以上の温度を感知するため、可動弁体３を介して対抗するバイアスばね７の付勢力よりも大きな出力を発生して伸長し、弁体３の排出口開閉弁３ｄは排出口１１を閉じると共に、出水口開閉弁３ｃが出水口１２を開け所定温度以上の湯水は出水路１３へと供給される。
【００３３】
これは、バイアスばねがその内部に排出口開閉弁を包含している実施例を示している。こうすることにより、バイアスばね７は、閉じられた排出口１１の下流側に配置されているため適温度の湯水には接触せず、バイアスばねによる適温度の湯水に対する流量抵抗は発生しない。また、バイアスばね７と弁体３ｊ及び排出口１１がバイアスばね７の取り付け長さ空間の中に並列に配置されているため、両者を直列に配置した時よりもユニット全体の長さが短くなりユニットがコンパクト化される。
そして、図３の矢印に示すように、適温度の湯水が湯水供給温度制御装置に進入して出水口１２に至る流路がほぼ柱状かつ直線的に形成されるため、湯水の流量抵抗が少なく多くの流量を下流側に供給することができる。
さらに弁体３内の湯水衝突面３ｅの形状を流線形としているため、この面からスリット３ｂを経由して出水口１２に至る湯水の流量抵抗を低減でき、流量のロスをさらに少なくできる。
【００３４】
図４及び図５に本発明による湯水供給温度制御装置の使用例を示す。
図４は、シングルレバー式の湯水混合水栓１６の混合水出口１６ａにシャワーホース１７、湯水供給温度制御装置１８、シャワーホース１９、ハンドシャワー２０の順に取り付けた状態である。
所定温度以下の湯水は前述した作用によりノズル１４から湯水供給温度制御装置１８外へ排出され、また所定温度以上の湯水はハンドシャワー２０から吐水されるのである。そのため、所定温度以下の湯水をハンドシャワー２０から浴びるおそれを低減することができる。
さらに、本発明の湯水供給温度制御装置を適用することにより、湯水供給温度制御装置内を通過する湯水は流量抵抗を受け難いため、ハンドシャワー２０からは多くの流量を吐水することができる。
【００３５】
図５は、２バルブ式の湯水混合水栓２５の混合水出口２５ａに湯水供給温度制御装置１８、導水管２７及びシャワーヘッド２６を接続したものである。
この例の場合にも所定温度以下の湯水は前述した作用によりノズル１４から湯水供給温度制御装置１８外へ排出され、また所定温度以上の湯水はシャワーヘッド２６から吐水されるのである。
さらに、本発明の湯水供給温度制御装置を適用することにより、湯水供給温度制御装置内を通過する湯水は流量抵抗を受け難いため、シャワーヘッド２６からは多くの流量を吐水することができる。なお、ノズル１４の先端を湯水供給温度制御装置１８の下側に配置し、排出される湯水が見え難くするようにするとよい。
【００３６】
また、図４及び図５は、所定温度以下の湯水を排出する湯水供給温度制御装置を接続した例であるが、状況に応じて、後述する所定温度以上の湯水を排出する湯水供給温度制御装置を接続したり、所定温度以下の湯水を排出する湯水供給温度制御装置と所定温度以上の湯水を排出する湯水供給温度制御装置を直列に接続しても良い。
【００３７】
図６及び図７は、感温材を排出口開閉弁の上流側に配置した場合を示す。
図６は、本発明による別の湯水供給温度制御装置の横断面図であり、所定温度以下の湯水が湯水供給温度制御装置内に流入している状態を示す。
すなわち所定温度以下の温度では、感温材２は付勢力が小さいため、可動弁体３を介して対抗するバイアスばね７の付勢力に負けて収縮し、可動弁体３の排出口開閉弁３ｄは排出口１１を閉じると共に、可動弁体３に設けられた出水口開閉弁３ｃが出水口１２を開け、所定温度以下の湯水は図６中の矢印に示すように出水路１３へと供給される。この時、その流路はほぼ柱状かつ直線的に形成されており、さらに、弁体３内の湯水衝突面３ｅの形状を流線形としているため、湯水の流量抵抗は至極少なく、多くの流量を下流側に供給することができる。
【００３８】
図７は、図６に示した湯水供給温度制御装置構成と同様の湯水供給温度制御装置の横断面図であり、所定温度以上の湯水を排出している状態を示す。
この場合には、感温材２は所定温度以上の温度を感知するため、可動弁体３を介して対抗するバイアスばね７の付勢力よりも大きな出力を発生して伸長し、弁体３の排出口開閉弁３ｄは排出口１１を開けると共に、出水口開閉弁３ｃが出水口１２を閉じる。この時、入水路１０から所定温度以上の湯水が供給されていたならば、所定温度以上の湯水は図７中の矢印に示すように、排出口１１を経由してノズル１４から排出される。
すなわちこの図６及び図７に示す装置構成の場合において、感温材の付勢力が大小に変化する境の変態点温度を約４５〜５０℃とすれば、この温度以上の湯水を自動的に湯水供給温度制御装置外に排出するため、この湯水供給温度制御装置の下流側であるシャワーからは高温の湯水の吐出を防止することができる。
所定温度以上の湯水を排出する湯水供給温度制御装置における適温度とは、所定温度以下の湯水を指す。
【００３９】
なお、本発明は、入口接続部から出口接続部まで全てが直線上に配置されることに限定されるものではなく、湯水温度を感知する感温材と可動弁体及びバイアスばねの各々の作動軸が一軸上に配置されてさえいればよく、例えば入口側接続部がシャワーエルボのように直角流路を有していても本発明の請求内容を逸脱しない。
また、本発明における湯水供給温度制御装置は、図４、図５に示した使用例は水栓本体の下流側に別個設けたものであるが、必ずしもその必要はなく水栓本体内に内蔵されていても良い。
【００４０】
【発明の効果】
本発明によれば、湯水供給温度制御装置内における適温度の湯水の流れる流路を、流量抵抗が極力生じ難い構成とすることで、圧力損失を低減させて、下流側により多くの流量を供給することのできる湯水供給温度制御装置を提供することができる。さらには、流路を簡素化することにより、外観形状をコンパクトにして、水栓やシャワーホースなど通水経路内に介在させても外観性や清掃性を低下するおそれの少ない湯水供給温度制御装置を提供することができる。
つまり、湯水供給温度制御装置内を通過する適温度の湯水の流れる流路をほぼ直線的に配置したため、湯水に対する構成部品の抵抗が少なく、シャワーノズルまでの通水路に介在しても、瞬時に多くの湯水を供給することが可能となり、快適なシャワーライフを提供することができる。さらにバイアスばねの内側に排出口を配置し、また排出口開閉弁と出水口開閉弁を一体に形成することにより、湯水供給温度制御装置全体のコンパクト化やコスト低減効果が図れる。
【図面の簡単な説明】
【図１】本件発明の一実施の形態である湯水供給温度制御装置の構成部品の分解斜視図を示す。
【図２】図１に示した構成部品による湯水供給温度制御装置の横断面図であり、所定温度以下の湯水を排出している状態を示す。
【図３】図１に示した構成部品による湯水供給温度制御装置の横断面図であり、所定温度以上の湯水が湯水供給温度制御装置内に流入している状態を示す。
【図４】本発明による湯水供給温度制御装置の一使用例の外観図を示す。
【図５】本発明による湯水供給温度制御装置の別の使用例の外観図を示す。
【図６】本発明による別の湯水供給温度制御装置の横断面図であり、所定温度以下の湯水が湯水供給温度制御装置装置内に流入している状態を示す。
【図７】図６に示した湯水供給温度制御装置の横断面図であり、所定温度以上の湯水を排出している状態を示す。
【図８】従来技術による湯水供給温度制御装置構成の断面図を示す。
【符号の説明】
１：出口ハウジング
１ａ：弁座
１ｂ：内周壁
１ｃ：段部
２：感温材
３：可動弁体
３ａ：流路
３ｂ：スリット部
３ｃ：出水口開閉弁
３ｄ：排出口開閉弁
３ｅ：湯水衝突面
３ｆ：内周壁
３ｇ：外周壁
３ｈ：凹部
３ｉ：側面
３ｊ：弁体
４：シールリング
７：バイアスばね
８：シールリング
９：入口ハウジング
９ａ：弁座
９ｂ：凹部
１０：入水路
１１：排出口
１２：出水口
１３：出水路
１４：ノズル
１６：水栓
１６ａ：混合水出口
１７：シャワーホース
１８：湯水供給温度制御装置
１９：シャワーホース
２０：ハンドシャワー
２１：入口側接続部
２２：出口側接続部
２５：水栓
２５ａ：混合水出口
２６：シャワーヘッド
２７：導水管
５０：従来の湯水供給温度制御装置
５１：入口
５２：座板
５３：開口
５４：感温材
５５：第１可動弁体
５６：座
５７：冷水排出口
５８：開閉口
５９：第２可動弁体
６０：ばね
７０：出口
７１：感温材
【図１】
2004225864.tif 000003
【図２】
2004225864.tif 000004
【図３】
2004225864.tif 000005
【図４】
2004225864.tif 000006
【図５】
2004225864.tif 000007
【図６】
2004225864.tif 000008
【図７】
2004225864.tif 000009
【図８】
2004225864.tif 000010